(57)【要約】【課題】  遊技盤ユニットの保管スペースを小さくする。【解決手段】  遊技盤ユニット１５は、遊技盤４、支持体１７、ガイドレール枠１８を備える。遊技盤４の前面の右側端部及び左側端部に、係止凹部４ｄを形成する。遊技盤４の後面の右側端部及び左側端部に、係止板１９を取り付ける。係止板１９の側面に、第１取付部１９ｆ、第２取付部１９ｇを形成する。第１，第２取付部１９ｆ, １９ｇに、固定ユニット２０を、ピン２１及びビス２２により取り付ける。遊技盤４の前面に設けられたセンター役物１４の突出量をＬ１とし、遊技盤４に取り付けられた係止板１９を他の遊技盤４の係止凹部４ｄに係止したときに、遊技盤４の前面と他の遊技盤４の後面との距離をＬ２とし、遊技盤４の後面に設けられた主制御回路装置３１の突出量をＬ３としたときに、（Ｌ１＋Ｌ３）＜Ｌ２となるように、係止凹部４ｄ及び係止板１９を形成する。【選択図】        図１１
2006020859.tif 000002
【特許請求の範囲】
【請求項１】
遊技盤と、前記遊技盤の前面側に突出して設けられ、遊技球の入賞口を形成する入賞役物やセンター役物を含む複数の構造物とを備えた遊技盤ユニットにおいて、
前記遊技盤の後面側に突出して設けられた突出部と、
前記遊技盤の前面に設けられ、他の遊技盤の前記突出部と係合して当該突出部を位置決めする係合部とを備え、
前記複数の構造物のうちの前記遊技盤の前面から最も突出した構造物の突出長さをＬ１とし、前記遊技盤の前記係合部に前記他の遊技盤の前記突出部を係合したときの前記遊技盤の前面と前記他の遊技盤の後面との距離をＬ２としたときに、Ｌ１＜Ｌ２の関係を満たすように前記突出部及び前記係合部は形成されていることを特徴とする遊技盤ユニット。
【請求項２】
前記遊技盤の後面側に突出して設けられ、遊技を行う際の駆動を制御する制御装置及び前記制御装置を保持する保持部を備え、
前記制御装置と前記保持部とのうちの前記遊技盤の後面から最も突出した一方の突出長さをＬ３としたときに、（Ｌ１＋Ｌ３）＜Ｌ２の関係を満たすように前記突出部及び前記係合部は形成されていることを特徴とする請求項１記載の遊技盤ユニット。
【請求項３】
前記突出部に設けられ、前記遊技盤の前記係合部に前記他の遊技盤の前記突出部を係合したときに、前記遊技盤の突出部と前記他の遊技盤の突出部とを固定する固定部を備えたことを特徴とする請求項１または２記載の遊技盤ユニット。
【請求項４】
前記固定部は、板状に形成され、一方の端部側に前記突出部に軸支される軸支部が設けられた本体板と、
前記突出部に設けられた雌ネジと螺合可能な雄ネジと、
前記本体板の他方の端部側に貫通して設けられ、短手方向が前記雄ネジの頭部の径よりも小さい長孔状に形成された雄ネジ挿通孔と、
前記雄ネジ挿通孔の周囲に枠状に且つ前記雄ネジの軸心方向の全長よりも低く立設され、前記雄ネジの頭部の径よりも僅かに大きい間隔で互いに対向する第１対向壁及び第２対向壁、前記雄ネジ挿通孔の長手方向の長さよりも僅かに大きい間隔で互いに対向する第３対向壁及び第４対向壁を有するネジ周壁部と、
前記ネジ周壁部の立設によって形成された開口を覆うとともに、前記雄ネジの頭部の径よりも小さく且つ前記雄ネジを螺着操作する操作工具が挿通可能な長孔状の操作孔が設けられ、前記操作孔が前記雄ネジ挿通孔と対峙するとともに、その長手方向が前記雄ネジ挿通孔の長手方向と同一方向に形成された収納蓋部と、を有することを特徴とする請求項３記載の遊技盤ユニット。
【請求項５】
請求項１ないし４いずれか１つ記載の遊技盤ユニットを備えたことを特徴とする弾球遊技機。
【発明の詳細な説明】
【技術分野】
【０００１】
本発明は、遊技盤ユニット及びこれを備えてパチンコ店等の遊技場に設置して使用されるパチンコ機等の弾球遊技機に関するものである。
【背景技術】
【０００２】
現在、遊技場に設置されるパチンコ機は、図柄可変表示装置や制御回路基板が組み付けられた裏セット板と称される支持体、遊技盤及びガイドレール枠を備えた遊技盤ユニットを本体枠に取り付けており、この遊技盤ユニットは、ガイドレール枠を遊技盤の前面に取り付け、裏セット板を遊技盤の後面に取り付けた構成となっている。近年では、本体枠を複数の機種で共通部品として使用し、遊技盤ユニットを新たなものに交換することでパチンコ機の機種交換を行うことがある。そのため、遊技盤ユニットを作り置きして倉庫に保管しておき、機種交換を行う場合には、倉庫に保管した遊技盤ユニットを機種交換を行う場所に搬送して、パチンコ機の本体枠から遊技盤ユニットを取り外し、新たな遊技盤ユニットを本体枠に取り付けている。
【発明の開示】
【発明が解決しようとする課題】
【０００３】
しかしながら、遊技盤ユニットの遊技盤の前面には釘やガイドレール枠などの構造物が取り付けられ、遊技盤の後面には裏セット板が取り付けられており、遊技盤ユニットを倉庫に保管するには、遊技盤ユニットを１個ずつ個別に梱包して保管する必要があり、その保管スペースが大きなものとなり、さらには、梱包の手間もかかっていた。
【０００４】
本発明は、上記課題を解決するためになされたものであり、保管スペースを小さくすることができる遊技盤ユニット及びこれを備えた弾球遊技機を提供することを目的とする。
【課題を解決するための手段】
【０００５】
上記目的を達成するために、本発明の遊技盤ユニットは、遊技盤と、前記遊技盤の前面側に突出して設けられ、遊技球の入賞口を形成する入賞役物やセンター役物を含む複数の構造物とを備えた遊技盤ユニットにおいて、前記遊技盤の後面側に突出して設けられた突出部と、前記遊技盤の前面に設けられ、他の遊技盤の前記突出部と係合して当該突出部を位置決めする係合部とを備え、前記複数の構造物のうちの前記遊技盤の前面から最も突出した構造物の突出長さをＬ１とし、前記遊技盤の前記係合部に前記他の遊技盤の前記突出部を係合したときの前記遊技盤の前面と前記他の遊技盤の後面との距離をＬ２としたときに、Ｌ１＜Ｌ２の関係を満たすように前記突出部及び前記係合部は形成されていることを特徴とする。
【０００６】
なお、前記遊技盤の後面側に突出して設けられ、遊技を行う際の駆動を制御する制御装置及び前記制御装置を保持する保持部を備え、前記制御装置と前記保持部とのうちの前記遊技盤の後面から最も突出した一方の突出長さをＬ３としたときに、（Ｌ１＋Ｌ３）＜Ｌ２の関係を満たすように前記突出部及び前記係合部は形成されていることが好ましい。
【０００７】
また、前記突出部に設けられ、前記遊技盤の前記係合部に前記他の遊技盤の前記突出部を係合したときに、前記遊技盤の突出部と前記他の遊技盤の突出部とを固定する固定部を備えることが好ましい。
【０００８】
さらに、前記固定部は、板状に形成され、一方の端部側に前記突出部に軸支される軸支部が設けられた本体板と、前記突出部に設けられた雌ネジと螺合可能な雄ネジと、前記本体板の他方の端部側に貫通して設けられ、短手方向が前記雄ネジの頭部の径よりも小さい長孔状に形成された雄ネジ挿通孔と、前記雄ネジ挿通孔の周囲に枠状に且つ前記雄ネジの軸心方向の全長よりも低く立設され、前記雄ネジの頭部の径よりも僅かに大きい間隔で互いに対向する第１対向壁及び第２対向壁、前記雄ネジ挿通孔の長手方向の長さよりも僅かに大きい間隔で互いに対向する第３対向壁及び第４対向壁を有するネジ周壁部と、前記ネジ周壁部の立設によって形成された開口を覆うとともに、前記雄ネジの頭部の径よりも小さく且つ前記雄ネジを螺着操作する操作工具が挿通可能な長孔状の操作孔が設けられ、前記操作孔が前記雄ネジ挿通孔と対峙するとともに、その長手方向が前記雄ネジ挿通孔の長手方向と同一方向に形成された収納蓋部と、を有することが好ましい。
【０００９】
また、本発明の弾球遊技機は、上記遊技盤ユニットを備えたことを特徴とする。
【発明の効果】
【００１０】
本発明の遊技盤ユニットによれば、遊技盤と、遊技盤の前面側に突出して設けられ、遊技球の入賞口を形成する入賞役物やセンター役物を含む複数の構造物と、遊技盤の後面側に突出して設けられた突出部と、遊技盤の前面に設けられ、他の遊技盤の突出部と係合して当該突出部を位置決めする係合部とを備え、複数の構造物のうちの遊技盤の前面から最も突出した構造物の突出長さをＬ１とし、遊技盤の係合部に他の遊技盤の突出部を係合したときの遊技盤の前面と他の遊技盤の後面との距離をＬ２としたときに、Ｌ１＜Ｌ２の関係を満たすように突出部及び係合部は形成されているから、遊技盤の係合部に他の遊技盤の突出部を係合することにより、突出部を位置決めすることができ、さらには、遊技盤の後面に、他の遊技盤の前面側に突出して設けられた構造物が接触することなく、２個の遊技盤ユニットを係合することができるため、複数の遊技盤ユニットを梱包して保管するときに、１個ずつ個別に遊技盤ユニットを保管する場合に比べて、梱包の手間を低減することができるとともに、保管するために必要な保管スペースを小さくすることができる。
【００１１】
また、遊技盤の後面側に突出して設けられ、遊技を行う際の駆動を制御する制御装置及び前記制御装置を保持する保持部を備え、制御装置と保持部とのうちの遊技盤の後面から最も突出した一方の突出長さをＬ３としたときに、（Ｌ１＋Ｌ３）＜Ｌ２の関係を満たすように突出部及び係合部は形成されているから、遊技盤の後面側に、制御装置及び制御装置を保持する保持部を設けた場合にも、遊技盤の後面側に突出して設けられた制御装置及び保持部に、他の遊技盤の前面側に突出して設けられた構造物が接触することなく、２個の遊技盤ユニットを係合することができる。
【００１２】
さらに、突出部に設けられ、遊技盤の係合部に他の遊技盤の突出部を係合したときに、遊技盤の突出部と他の遊技盤の突出部とを固定する固定部を備えたから、固定部で突出部同士を固定することにより、係合した２個の遊技盤ユニットを固定することができ、搬送する際に、２個の遊技盤ユニットがバラバラになることがなく、容易に搬送することができる。
【００１３】
また、固定部は、板状に形成され、一方の端部側に前記突出部に軸支される軸支部が設けられた本体板と、突出部に設けられた雌ネジと螺合可能な雄ネジと、本体板の他方の端部側に貫通して設けられ、短手方向が雄ネジの頭部の径よりも小さい長孔状に形成された雄ネジ挿通孔と、雄ネジ挿通孔の周囲に枠状に且つ雄ネジの軸心方向の全長よりも低く立設され、雄ネジの頭部の径よりも僅かに大きい間隔で互いに対向する第１対向壁及び第２対向壁、雄ネジ挿通孔の長手方向の長さよりも僅かに大きい間隔で互いに対向する第３対向壁及び第４対向壁を有するネジ周壁部と、ネジ周壁部の立設によって形成された開口を覆うとともに、雄ネジの頭部の径よりも小さく且つ雄ネジを螺着操作する操作工具が挿通可能な長孔状の操作孔が設けられ、操作孔が雄ネジ挿通孔と対峙するとともに、その長手方向が雄ネジ挿通孔の長手方向と同一方向に形成された収納蓋部と、を有するから、雄ネジ挿通孔の長手方向において雄ネジを挿通する位置を移動することができ、２個の遊技盤ユニットを固定するときに、突出部に設けられた雌ネジの位置が、基準となる位置からずれた場合にも、雄ネジを挿通する位置を移動することにより、確実に突出部同士を固定することができる。
【００１４】
さらに、ネジ周壁部の立設によって形成された開口を覆う収納蓋部を設けたから、雄ネジを常に本体板とネジ周壁部とで形成された空間に収納することができ、固定作業を行う際に、雄ネジを用意する必要がなく、作業性を向上することができる。また、遊技盤ユニットを弾球遊技機に装着していないときには、雄ネジを突出部に設けられた雌ネジに螺合することにより、固定部がふらふらして邪魔になることがない。さらに、ネジ周壁部の第１対向壁及び第２対向壁は、雄ネジの頭部の径よりも僅かに大きい間隔で互いに対向するから、雄ネジと雌ネジとの螺合を解除し、雄ネジがどの部材にも螺合していない状態で雄ネジが倒れた場合にも、雄ネジの頭部はすぐに第１対向壁または第２対向壁に当接し、さらには、第３対向壁及び第４対向壁は雄ネジ挿通孔の長手方向の長さよりも僅かに大きい間隔で互いに対向し、収納蓋部の長孔状の操作孔は、雄ネジ挿通孔と対峙するとともに、その長手方向が雄ネジ挿通孔の長手方向と同一方向に形成されているから、雄ネジは常に納蓋部の操作孔から視認可能となっており、雄ネジを螺着操作する操作工具を操作孔に挿通して雄ネジを操作するときに、容易にその操作を行うことができる。
【００１５】
また、本発明の弾球遊技機によれば、上記遊技盤ユニットを備えたから、弾球遊技機に組み込むための遊技盤ユニットを複数個作り置きして保管するときに、１個ずつ個別に遊技盤ユニットを保管する場合に比べて、保管するために必要な保管スペースを小さくすることができるため、遊技盤ユニットの保管に係わる保管コストを低くすることができ、これにより、弾球遊技機のコストを低くすることができる。さらに、複数の構造物のうちの遊技盤の前面から最も突出した構造物の突出長さをＬ１とし、遊技盤の係合部に他の遊技盤の突出部を係合したときの遊技盤の前面と他の遊技盤の後面との距離をＬ２としたときに、Ｌ１＜Ｌ２の関係を満たすように突出部及び係合部は形成されているから、弾球遊技機に組み込んだ遊技盤の前面側から不正な異物（例えば、針金等）が挿入されることを防止することができ、遊技盤の前面側から針金を挿入して制御装置を不正に改変するという不正行為を確実に防止することができる。
【発明を実施するための最良の形態】
【００１６】
図１に示すように、弾球遊技機の１実施例であるパチンコ機２は、本体枠３の内部に遊技盤４が配設されており、本体枠３の前面には前面扉５が開閉自在に取り付けられている。前面扉５の下方には、打球供給用の供給皿６及びパチンコ球（遊技球）７の打ち出し強さを調節する操作ハンドル８が設けられている。遊技盤４のパチンコ球７が打ち出される遊技領域４ａの略中央には、予め定められた入賞口へパチンコ球７を入賞させるなどの所定入賞条件に基づいて遊技中に様々な図柄を液晶画面に所定時間内において変動表示させた後に停止表示させる図柄可変表示装置９が設けられている。図柄可変表示装置９の周りには、始動入賞役物（入賞役物）１０、通常入賞役物（入賞役物）１１、アタッカ（構造物）１２、アウト口１３等が設けられており、始動入賞役物１０、通常入賞役物１１、アタッカ１２は、遊技盤４の前面側に突出して設けられている。始動入賞役物１０には、始動入賞口（入賞口）１０ａが、通常入賞役物１１には通常入賞口（入賞口）１１ａがそれぞれ形成されている。また、遊技盤４の略中央には、センター役物（構造物）１４が前面側に突出して設けられており、センター役物１４に形成された開口１４ａを介して、後述する支持体１７に組み付けられた図柄可変表示装置９を視認することができる。
【００１７】
遊技者は供給皿６にパチンコ球７を投入して遊技を開始する。投入されたパチンコ球７は供給皿６内に設けられた誘導路を経て球発射装置に導かれる。遊技者は、回動式の操作ハンドル８を所定量回動して球発射装置の駆動を制御することで、パチンコ球７を１個ずつ遊技盤４の遊技領域４ａの上方に向けて打ち出すことができる。打ち出されたパチンコ球７は遊技領域４ａの上方から流下する途中で各入賞口１０ａ, １１ａ及びアタッカ１２のいずれかに入るか、あるいはアウト口１３から回収される。なお、パチンコ機２の遊技領域４ａに設けられている複数の釘、風車などの構造物は公知であるので説明は省略する。また、本実施形態では、遊技盤４の前面に設けられた始動入賞役物１０やセンター役物１４等の複数の構造物のうち、センター役物１４が最も突出している。
【００１８】
図２に示すように、前面扉５は、本体枠３の前面に開閉自在に取り付けられている。前面扉５の内側には、可視可能なガラスが取り付けられている。なお、前面扉５が閉じているロック状態であるときには、遊技者や遊技場の作業者は、ガラスを通して遊技盤４の遊技領域４ａを流下していくパチンコ球７を見ることはできるが、遊技盤４にはもちろんのこと本体枠３の内部にも触れることができないようになっている。
【００１９】
図３に示すように、遊技盤ユニット１５は、本体枠３の遊技盤ユニット係止部３ａに交換可能に係止されている。遊技盤ユニット係止部３ａの右側端部の上側端部及び下側端部には、遊技盤ユニット１５を係止するための遊技盤ユニット係止部材１６が設けられている。なお、遊技盤ユニット係止部材１６には、回動可能な係止部１６ａが軸支されている。
【００２０】
図４に示すように、遊技盤ユニット１５は、遊技盤４、支持体（保持部）１７及びガイドレール枠（構造物）１８を備え、支持体１７とガイドレール枠１８とは、詳しくは後述するように、遊技盤４を挟持した状態で係止されている。
【００２１】
遊技盤４の右側端部の上側端部及び下側端部には、遊技盤ユニット係止部材１６（図３参照）を挿通するための係止部材挿通孔４ｂが形成されている。遊技盤４の四隅には、後述するボス２３を挿通するための位置決め開口４ｃが形成されている。遊技盤４の前面の右側端部及び左側端部には、それぞれ後述する係止板（突出部）１９の左爪部１９ｄ及び右爪部１９ｅを係止するための長状の係止凹部（係合部）４ｄが形成されている。係止凹部４ｄは、断面が略Ｔ字状に形成されている（図１０参照）。
【００２２】
遊技盤４の後面の左側端部及び右側端部には、それぞれ他の遊技盤４の係止凹部４ｄに挿入するための係止板（突出部）１９が取り付けられている。係止板１９は、板状の本体部１９ａと、本体部１９ａの図４における後面の左側端部及び右側端部それぞれに形成された薄板状の左突出片１９ｂ及び右突出片１９ｃとを備える。左突出片１９ｂの図４における左側面には、後端に向けて左右方向の肉厚が薄くなる断面が略三角形状の左爪部１９ｄが、右突出片１９ｃの図４における右側面には、後端に向けて左右方向の肉厚が薄くなる断面が略三角形状の右爪部１９ｅが、それぞれ突出して形成されている。なお、係止板１９は、弾性変形する部材から構成され、左爪部１９ｄ及び右爪部１９ｅは、左突出片１９ｂ及び右突出片１９ｃの図４における上下方向の全長に亘って形成されている。
【００２３】
図４における左側の係止板１９の本体部１９ａの左側面と、図４における右側の係止板１９の本体部１９ａの右側面とには、円柱状の第１取付部１９ｆ、第２取付部１９ｇがそれぞれ形成されている。第１取付部１９ｆには、後述するピン２１を取り付けるための取付孔１９ｈが形成され、第２取付部１９ｇには、後述するネジ２２と螺合する雌ネジ１９ｉが形成されている。第１，第２取付部１９ｆ, １９ｇには、他の遊技盤４に取り付けられた係止板１９を固定するための固定ユニット（固定部）２０が、ピン２１及びネジ（雄ネジ）２２により取り付けられている。遊技盤４の前面に設けられた始動入賞役物１０等の構造物のうち、最も突出しているセンター役物１４の突出長さをＬ１（図１０参照）とし、第２の遊技盤４（図１１中の下段のもの）に取り付けられた係止板１９を第１の遊技盤４（図１１中の上段のもの）の係止凹部４ｄに係止したときに、第１の遊技盤４の前面と第２の遊技盤４の後面との距離をＬ２（図１１参照）とし、遊技盤４の後面側に支持体１７よりも突出して設けられた後述する主制御回路装置（制御装置）３１の遊技盤４の後面からの突出長さをＬ３（図１０参照）としたときに、（Ｌ１＋Ｌ３）＜Ｌ２となるように、係止凹部４ｄ及び係止板１９は形成されている。
【００２４】
支持体１７は略板状に形成されており、支持体１７の前面には複数のリブ１７ａが設けられ、これらリブ１７ａにより球通路１７ｂが形成される。遊技を行った際に各入賞口１０ａ, １１ａ、アタッカ１２及びアウト口１３に入ったパチンコ球７は、リブ１７ａにより形成された球通路１７ｂを通過して所定の受け部に誘導される。支持体１７の上下４箇所にはボス２３が形成されており、このボス２３には後述するガイドレール枠１８に設けられた係止つまみ３５を挿通させるための開口２４が形成されている。このボス２３を、遊技盤４に形成された位置決め開口４ｃに後面側から挿通させることで、遊技盤４と支持体１７との位置決めが行われる。支持体１７の後面には、図柄可変表示装置９の他に、主制御回路装置（制御装置）３１（図５参照）や副制御回路装置（制御装置）３２（図５参照）が組み付けられる。
【００２５】
ガイドレール枠１８は、板状に形成され前面の外周にリブが形成された枠本体２５に、外レール２６、第１内レール２７、第２内レール２８が取り付けられた構成となっている。枠本体２５、外レール２６、第１内レール２７及び第２内レール２８は例えばポリアセタール等の摺動性、耐摩耗性に優れた樹脂材から形成されている。なお、外レール２６と第１内レール２７との間は、打ち出されたパチンコ球７を遊技領域４ａに向けて誘導するためのガイド部２５ａとなる。また、枠本体２５の中央には、遊技におけるパチンコ球７の移動を規制（形成）するための開口２５ｂが形成され、その下方に各入賞口１０ａ, １１ａ及びアタッカ１２のいずれにも入賞しなかったパチンコ球７を所定の受け部に導くためのアウト口２９の前面装飾２９ａが形成されている。なお、外レール２６、第１内レール２７及び第２内レール２８は、それぞれ図示しないネジ等により枠本体２５に組み付け固定される。また、ガイドレール枠１８は、遊技盤４の前面からの突出長さがセンター役物１４よりも短くなるように形成されている。
【００２６】
図５に示すように、主制御回路装置３１と副制御回路装置３２とは、支持体１７の後面に突出して組み付けられており、主制御回路装置３１は、副制御回路装置３２よりも支持体１７の後面から突出している。すなわち、支持体１７を遊技盤４の後面に取り付けたときに、主制御回路装置３１が最も遊技盤４の後面から突出することとなる。主制御回路装置３１と副制御回路装置３２とは電気的に接続されている。副制御回路装置３２には、図柄可変表示装置９の可変表示制御を行うための演出プログラムが記憶されたプログラムＲＯＭ及び、図柄可変表示装置９で表示する画像データ、音声データ、ランプ（図示せず）の点灯及び消灯を行うためのランプデータ等が記憶されているデータＲＯＭが設けられている。主制御回路装置３１は、遊技中の電気的制御を行うものであり、副制御回路装置３２に所定の遊技状態となるように実行させる。例えば、始動入賞口１０に設けられている入賞球検知センサ（図示せず）によりパチンコ球７の入賞が検知されると、主制御回路装置３１にスタート信号が入力される。主制御回路装置３１は、スタート信号が入力されたことに応じてハズレ又は当たりを決定する抽選を行い、抽選結果に応じた命令信号を副制御回路装置３２に出力する。副制御回路装置３２は、入力された命令信号に応じてプログラムＲＯＭ及びデータＲＯＭから演出プログラム及び各種データを読み込み、読み込んだ演出プログラム及び各種データに応じて図柄可変表示装置９やランプ等の駆動を制御する。
【００２７】
図４に示すように、枠本体２５の後面の上端部及び下端部のそれぞれ２箇所計４箇所にはボス（図示せず）が形成され、このボスにロック機構である回動自在な係止つまみ３５が取り付けられる。このボスを遊技盤４に形成された位置決め開口４ｃに挿通させることで、枠本体２５と遊技盤４との位置決めが行われる。また、係止つまみ３５は支持体１７に形成されたボス２３の開口２４に挿通された後に、開口２４に対して水平位置から垂直位置へと回動させることで、遊技盤４を挟持した状態でガイドレール枠１８と支持体１７との係合を行うことが可能となる。なお、ロック機構の構造及び個数は遊技盤ユニット１５の構成等を考慮して、適宜設定することが可能である。また、枠本体２５の右側端部の上側端部及び下側端部には、それぞれ係止部材取付孔２５ｃが形成されている。係止部材取付孔２５ｃは遊技盤ユニット係止部材１６の係止部１６ａを挿通させることのできる位置に設けられている。
【００２８】
図６に示すように、枠本体２５の係止部材取付孔２５ｃは、遊技盤ユニット係止部材１６が挿通可能な大きさで、遊技盤ユニット係止部材１６の係止部１６ａと係止可能となるように形成されている。係止部１６ａは、遊技盤ユニット係止部材１６に回転自在に軸支されており、遊技盤ユニット１５が取り付けられていない状態では、係止部１６ａは長手方向が垂直に向けられた係止解除位置にセットされている。遊技盤ユニット１５が本体枠３の遊技盤ユニット係止部３ａに取り付けられると、遊技盤ユニット係止部材１６が係止部材取付孔２５ｃに挿通され、係止部１６ａが回転自在となるように係止部材取付孔２５ｃから突出する。
【００２９】
図７に示すように、係止部１６ａが係止部材取付孔２５ｃから突出した状態でその長手方向が水平となるように９０度回転されると、遊技盤ユニット係止部材１６は係止位置にセットされる。係止位置への回動によって、係止部１６ａが係止部材取付孔２５ｃから挿脱不能となり、遊技盤ユニット１５を係止する。これにより、遊技盤ユニット１５が本体枠３に係止される。
【００３０】
図８及び図９に示すように、固定ユニット２０は、板状の固定板（本体板）２０ａ、固定板２０ａの図８における前面の右側端部に枠状に立設され、ネジ２２を収納するためのネジ周壁部２０ｂ、ネジ周壁部２０ｂの開口側の先端面に取り付けられる板状の蓋部（収納蓋部）２０ｃ、固定ユニット２０を係止板１９に固定するためのネジ（雄ネジ）２２を備え、固定板２０ａの図８における左側端部に形成されたピン挿通孔（軸支部）２０ｄに挿通されたピン２１により係止板１９に軸着される。ピン挿通孔２０ｄは、ピン２１の軸部の径よりも僅かに大きな径で形成されており、これにより、固定ユニット２０は、ピン挿通孔２０ｄに挿通したピン２１を中心に回動自在となる。なお、図９（Ａ）は正面図、図９（Ｂ）は上側面断面図、図９（Ｃ）は右側面断面図である。
【００３１】
固定板２０ａの図９（Ｂ）における右側端部には、ネジ２２の軸部を挿通するための長孔状のネジ挿通孔（雄ネジ挿通孔）２０ｅが形成されている。ネジ挿通孔２０ｅは、長手方向が図９（Ｂ）における左右方向になるように、且つ図９（Ｃ）における上下方向である短手方向の長さＭ１がネジ２２の頭部の径Ｄ１よりも小さく形成されている。ネジ周壁部２０ｂは、ネジ挿通孔２０ｅを囲むように、且つネジ２２の軸心方向の全長Ｍ２よりも低い同一高さの４つの部材によって立設されており、ネジ挿通孔２０ｅの短手方向（図９（Ｃ）中の上下方向）においてネジ２２の頭部の径Ｄ１よりも僅かに大きい間隔Ｍ３（例えば、Ｄ１の１．２倍）で互いに対向するように形成された第１対向壁２０ｆ及び第２対向壁２０ｇ、ネジ挿通孔２０ｅの長手方向（図９（Ｂ）中の左右方向）においてこの長手方向の長さＭ４よりも僅かに大きい間隔Ｍ５（例えば、Ｍ４の１．２倍）で互いに対向するように形成された第３対向壁２０ｈ及び第４対向壁２０ｉ、固定板２０ａの図９（Ｃ）における第１対向壁２０ｆの上方及び第２対向壁２０ｇの下方に形成された上対向壁２０ｊ及び下対向壁２０ｋを備える。第３対向壁２０ｈ及び第４対向壁２０ｉは、上対向壁２０ｊ及び下対向壁２０ｋの配置間隔Ｍ６と同じ長さに形成され枠状に繋がって一体化するように形成されている。また、第３対向壁２０ｈと第４対向壁２０ｉとの間隔Ｍ５は、ネジ２２の軸心方向の全長Ｍ２より短く形成されている。ネジ２２の軸部をネジ挿通孔２０ｅに挿通した状態で、蓋部２０ｃをネジ周壁部２０ｂの開口側の先端面を覆うように取り付けると、ネジ２２は取り出し不能となる。
【００３２】
蓋部２０ｃは、板状に形成され、ネジ２２をドライバ等の操作工具を用いてネジ締めするときに、ドライバを挿通するための長孔状のドライバ挿通孔（操作孔）２０ｌが形成されている。ドライバ挿通孔２０ｌは、その長手方向（図９（Ｂ）中の左右方向）がネジ挿通孔２０ｅの長手方向と同一方向に形成されている。ドライバ挿通孔２０ｌは、短手方向（図９（Ｃ）中の上下方向）の長さＭ７がネジ２２の頭部の径Ｄ１よりも小さく、且つドライバを挿通可能な大きさで、長手方向（図９（Ｂ）中の左右方向）の長さＭ８がネジ挿通孔２０ｅの長手方向の長さＭ４と略同一となるように形成されている。これにより、ネジ２２は、常にネジ周壁部２０ｂを固定板２０ａと蓋部２０ｃとで挟んで形成された収納空間２０ｍに収納された状態となるから、固定ユニット２０を取り付けるときに、取り付け用の別のネジを用意する必要がなく、作業性を向上することができる。
【００３３】
上記のように構成されたパチンコ機２及び遊技盤ユニット１５の作用について説明する。遊技盤ユニット１５を製造する場合には、図１０に示すように、ピン２１を固定ユニット２０の固定板２０ａのピン挿通孔２０ｄを介して、係止板１９の第１取付部１９ｆの取付孔１９ｈに取り付けて、固定ユニット２０を左右の係止板１９それぞれに軸着する。そして、図１１に示すように、第１の遊技盤４の前面と、第２の遊技盤４の後面とが対面するように、第１の遊技盤ユニット１５の上に第２の遊技盤ユニット１５を載せる。そして、第２の遊技盤ユニット１５を下側方向に押すと、左突出片１９ｂが図１１中右側方向に、右突出片１９ｃが図１１中左側方向にそれぞれ変形して係止凹部４ｄに挿入される。左突出片１９ｂ及び右突出片１９ｃが係止凹部４ｄに挿入されると、左突出片１９ｂが図１１中左側方向に、右突出片１９ｃが図１１中右側方向にそれぞれ変形して元の形状に戻る。これにより、左爪部１９ｄ及び右爪部１９ｅが係止凹部４ｄにより係止され、係止板１９が第１の遊技盤４に係止された状態となる。なお、第１の遊技盤４とは、図１１において下段のものを示し、第２の遊技盤４とは図１１において上段のものを示す。また、第１の遊技盤ユニット１５とは、図１１において下段のものを示し、第２の遊技盤ユニット１５とは、図１１において上段のものを示す。
【００３４】
次に、第２の遊技盤ユニット１５の左右それぞれの係止板１９に軸着された固定ユニット２０のネジ２２を、ドライバにより第１の遊技盤ユニット１５の雌ネジ１９ｉに螺合する。これにより、第１の遊技盤ユニット１５の係止板１９と、第２の遊技盤ユニット１５の係止板１９とが固定され、第１の遊技盤ユニット１５と第２の遊技盤ユニット１５とが固定された状態となる。このように２個の遊技盤ユニット１５を一体的に固定した状態で梱包して、倉庫等の保管場所に保管する。なお、固定する遊技盤ユニット１５の個数は、２個に限定されることなく、適宜変更されるものである。
【００３５】
遊技盤４の前面に設けられたセンター役物１４の突出長さをＬ１（図１０参照）とし、第２の遊技盤４に取り付けられた係止板１９を第１の遊技盤４の係止凹部４ｄに係止したときに、第１の遊技盤４の前面と第２の遊技盤４の後面との距離をＬ２（図１１参照）とし、遊技盤４の後面側に設けられた主制御回路装置３１の遊技盤４の後面からの突出長さをＬ３としたときに、（Ｌ１＋Ｌ３）＜Ｌ２となるように、係止凹部４ｄ及び係止板１９は形成されており、第１の遊技盤ユニット１５と第２の遊技盤ユニット１５とを係止したときに、第１の遊技盤ユニット１５の遊技盤４の前面に設けられたセンター役物１４と、第２の遊技盤ユニット１５の主制御回路装置３１とが接触することがない。
【００３６】
倉庫に保管した遊技盤ユニット１５を、本体枠３に組み付けてパチンコ機２を製造する場合には、第１の遊技盤ユニット１５と第２の遊技盤ユニット１５との固定を解除する必要がある。この場合には、先ず、ネジ２２と、第１の遊技盤ユニット１５の雌ネジ１９ｉとの螺合を解除する。次に、第２の遊技盤ユニット１５の係止板１９の左突出片１９ｂを図１１中左側方向に、右突出片１９ｃを図１１中右側方向にそれぞれ押して、左突出片１９ｂ及び右突出片１９ｃを変形させる。これにより、係止凹部４ｄによる左爪部１９ｄ及び右爪部１９ｅの係止が解除され、第１の遊技盤ユニット１５と第２の遊技盤ユニット１５との固定が解除される。そして、図１２に示すように、遊技盤ユニット１５を本体枠３に組み付けるときに、固定ユニット２０が邪魔にならないように、固定ユニット２０を、ピン２１を中心に１８０°回転させ、ネジ２２を、第２取付部１９ｇの雌ネジ１９ｉに螺合する。これにより、固定ユニット２０は、係止板１９に固定され、遊技盤ユニット１５を本体枠３に組み付けるときに、ふらふらして邪魔になることがない。
【００３７】
このように、固定ユニット２０により複数の遊技盤ユニット１５を一体的に固定することができるため、複数の遊技盤ユニット１５を倉庫に保管するときに、複数の遊技盤ユニット１５を１個ずつ個別に梱包して保管する場合に比べて、梱包の手間を低減することができるとともに、その保管スペースを小さくすることができる。
【００３８】
また、遊技盤４の前面に設けられたセンター役物１４の突出長さをＬ１とし、第２の遊技盤４に取り付けられた係止板１９を第１の遊技盤４の係止凹部４ｄに係止したときに、第１の遊技盤４の前面と第２の遊技盤４の後面との距離をＬ２とし、遊技盤４の後面側に設けられた主制御回路装置３１の遊技盤４の後面からの突出長さをＬ３としたときに、（Ｌ１＋Ｌ３）＜Ｌ２となるように、係止凹部４ｄ及び係止板１９を形成したから、第１の遊技盤ユニット１５と第２の遊技盤ユニット１５とを固定したときに、第１の遊技盤ユニット１５のセンター役物１４と、第２の遊技盤ユニット１５の主制御回路装置３１とが接触することがないため、遊技盤４の後面に主制御回路装置３１を設けた場合にも、本発明は有効である。
【００３９】
さらに、固定ユニット２０の固定部２０ｂのネジ挿通孔２０ｅと、蓋部２０ｃのドライバ挿通孔２０ｌとは長孔状に形成されているから、第２の遊技盤ユニット１５の係止爪部１９ａを、第１の遊技盤ユニット１５の遊技盤４の係止凹部４ｄに係止するときに、図１１中の高さ方向の位置にバラツキが生じた場合にも、そのバラツキの分だけ、ネジ２２のネジ締め位置をずらすことにより、第１の遊技盤ユニット１５と第２の遊技盤ユニット１５とを確実に固定することができる。
【００４０】
また、第１対向壁２０ｆと第２対向壁２０ｇとの間隔Ｍ３は、ネジ挿通孔２０ｅの短手方向（図９（Ｃ）中の上下方向）においてネジ２２の頭部の径Ｄ１の１．２倍で形成され、第３対向壁２０ｈと第４対向壁２０ｉとの間隔Ｍ５は、ネジ２２の軸心方向の全長Ｍ２より短く形成されているから、ネジ２２は常に蓋部２０ｃのドライバ挿通孔２０ｌから視認可能となっており、ドライバをドライバ挿通孔２０ｌに挿通してネジ２２を操作するときに、容易にその操作を行うことができる。
【００４１】
さらに、第２の遊技盤４に取り付けられた係止板１９を第１の遊技盤４の係止凹部４ｄに係止したときに、第１の遊技盤４の前面と第２の遊技盤４の後面との距離をＬ２とし、遊技盤４の後面側に設けられた主制御回路装置３１の遊技盤４の後面からの突出長さをＬ３としたときに、Ｌ３＜Ｌ２となるように、係止凹部４ｄ及び係止板１９は形成されているから、遊技盤４の前面側からの不正な異物（例えば、針金等）の挿入を防止することができ、遊技盤４の前面側から本体枠３と遊技盤４との間の隙間から針金を挿入して主制御回路装置３１や副制御回路装置３２を不正に改変するという不正行為を防止することができる。
【００４２】
なお、本実施形態では、遊技盤４の後面側に支持体１７、主制御回路装置３１、副制御回路装置３２を設け、遊技盤４の前面に設けられたセンター役物１４の突出長さをＬ１とし、第２の遊技盤４に取り付けられた係止板１９を第１の遊技盤４の係止凹部４ｄに係止したときに、第１の遊技盤４の前面と第２の遊技盤４の後面との距離をＬ２とし、遊技盤４の後面側に設けられた主制御回路装置３１の遊技盤４の後面からの突出長さをＬ３としたときに、（Ｌ１＋Ｌ３）＜Ｌ２となるように、係止凹部４ｄ及び係止板１９を形成したが、遊技盤４の後面に支持体１７、主制御回路装置３１、副制御回路装置３２を設けない場合には、Ｌ１＜Ｌ２となるように、係止凹部４ｄ及び係止板１９を形成することにより、本発明を実施することができ、この場合には、遊技盤４の後面に支持体１７、主制御回路装置３１、副制御回路装置３２を設けた場合に比べて、係止板１９の長さを短くすることができる。
【００４３】
また、本実施形態では、遊技盤４に係止板１９を取り付けたが、この係止板１９を着脱自在に遊技盤４に取り付けてもよく、この場合には、遊技盤ユニット１５を倉庫に保管する場合のみ遊技盤４に係止板１９を取り付け、遊技盤ユニット１５を本体枠３に組み付ける場合には、遊技盤４から係止板１９を取り外す。これにより、遊技盤ユニット１５毎に係止板１９及び固定ユニット２０を設ける必要がなくなり、遊技盤ユニット１５毎に係止板１９及び固定ユニット２０を設けるものに比べて、パチンコ機２の製造コストを下げることができる。
【００４４】
さらに、遊技盤ユニット１５を構成する部材として、遊技盤４の後面にパチンコ球７を貯留するための貯留タンクを設けた場合にも、本発明は実施可能であり、貯留タンクが主制御回路装置３１よりも遊技盤４の後面から突出している場合には、貯留タンクの遊技盤４の後面からの突出長さをＬ４としたときに、（Ｌ１＋Ｌ４）＜Ｌ２となるように、係止凹部４ｄ及び係止板１９を形成する。
【図面の簡単な説明】
【００４５】
【図１】本発明を実施したパチンコ機の外観を示す斜視図である。
【図２】前面扉を開けた状態のパチンコ機を示す斜視図である。
【図３】本体枠と遊技盤ユニットとを示す分解斜視図である。
【図４】遊技盤と支持体とガイドレール枠とを示す分解斜視図である。
【図５】遊技盤と支持体との構成を分解した状態の概略を示す断面図である。
【図６】遊技盤ユニット係止部材が係止解除位置にセットされた状態を示す正面図である。
【図７】遊技盤ユニット係止部材が係止位置にセットされた状態を示す正面図である。
【図８】固定ユニットを示す分解斜視図である。
【図９】固定ユニットを示す正面図, 上側面断面図, 右側面断面図である。
【図１０】遊技盤ユニットを示す下側面断面図である。
【図１１】遊技盤ユニットを２個重ねた状態の下側面断面図である。
【図１２】本体枠に組み付ける際の遊技盤ユニットを示す下側面断面図である。
【符号の説明】
【００４６】
２  パチンコ機（弾球遊技機）
３  本体枠
４  遊技盤
４ａ  遊技領域
４ｄ  係止凹部（係合部）
７  パチンコ球（遊技球）
１０  始動入賞役物（入賞役物）
１０ａ  始動入賞口（入賞口）
１１  通常入賞役物（入賞役物）
１１ａ  通常入賞口（入賞口）
１２  アタッカ（構造物）
１４  センター役物（構造物）
１５  遊技盤ユニット
１７  支持体（保持部）
１８  ガイドレール枠（構造物）
１９  係止板（突出部）
１９ｉ  雌ネジ
２０  固定ユニット（固定部）
２０ａ  固定板（本体板）
２０ｂ  ネジ周壁部
２０ｃ  蓋部（収納蓋部）
２０ｄ  ピン挿通孔（軸支部）
２０ｅ  ネジ挿通孔（雄ネジ挿通孔）
２０ｆ  第１対向壁
２０ｇ  第２対向壁
２０ｈ  第３対向壁
２０ｉ  第４対向壁
２０ｌ  ドライバ挿通孔（操作孔）
２１  ピン
２２  ネジ（雄ネジ）
３１  主制御回路装置（制御装置）
３２  副制御回路装置（制御装置）
【図１】
2006020859.tif 000003
【図２】
2006020859.tif 000004
【図３】
2006020859.tif 000005
【図４】
2006020859.tif 000006
【図５】
2006020859.tif 000007
【図６】
2006020859.tif 000008
【図７】
2006020859.tif 000009
【図８】
2006020859.tif 000010
【図９】
2006020859.tif 000011
【図１０】
2006020859.tif 000012
【図１１】
2006020859.tif 000013
【図１２】
2006020859.tif 000014